(57)【特許請求の範囲】
【請求項１】
全波形音波（ＦＷＳ）データを受信するステップと；
前記受信したＦＷＳデータにアンチエイリアシング線形ラドン変換を実行するステップであって、
アンチエイリアシングオフセット間隔に基づき、一組のアンチエイリアシングオフセット値及び一組のｓｌｏｗｎｅｓｓ値を特定するステップであって、前記アンチエイリアシングオフセット間隔は△ｘａ＝０．５＊△ｔ＊Ｖｍｉｎであり、ここで、△ｔは、前記受信したＦＷＳデータのサンプリング時間間隔であり、Ｖｍｉｎは波成分の速度の下限である、ステップと；
前記受信したＦＷＳデータ及び前記一組のアンチエイリアシングオフセット値に基づき、補間されたＦＷＳデータを生成するステップと；
前記一組のアンチエイリアシングオフセット値及び前記一組のｓｌｏｗｎｅｓｓ値に基づき、前記補間されたＦＷＳデータにラドン変換を実行するステップと；を含む、ステップと；
前記波成分の中心速度、速度範囲、中心時間、及び時間範囲を特定するために、速度解析を実行するステップと；
スラントウィンドウを用いて、前記波成分に対応するラドン変換済みＦＷＳデータを抽出するステップであって、前記スラントウィンドウは、前記波成分の前記中心速度及び前記中心時間に基づき特定された点を中心としており、前記スラントウィンドウは、前記波成分の前記速度範囲及び前記時間範囲に基づき特定されたサイズを有する、ステップと；
前記抽出されたラドン変換済みＦＷＳデータに逆ラドン変換を実行することによって、前記波成分の信号を特定するステップと；を備える、
方法。
【請求項２】
前記波成分は、圧縮波、せん断波、又はストンリー波のうちの１つである、
請求項１に記載の方法。
【請求項３】
前記抽出されたラドン変換ＦＷＳデータに逆ラドン変換を実行することは、一組の実際のオフセット値に基づき前記逆ラドン変換を実行するステップを備える、
請求項１に記載の方法。
【請求項４】
前記受信したＦＷＳデータは、共通ショットギャザーである、
請求項１に記載の方法。
【請求項５】
コンピュータメモリと；
前記コンピュータメモリに相互利用可能に結合され、所定の動作を実行するように構成された１又は複数のハードウェアプロセッサと；を備え、
前記所定の動作は、
全波形音波（ＦＷＳ）データを受信する処理と；
前記受信したＦＷＳデータにアンチエイリアシング線形ラドン変換を実行する処理であって、
アンチエイリアシングオフセット間隔に基づき、一組のアンチエイリアシングオフセット値及び一組のｓｌｏｗｎｅｓｓ値を特定する処理であって、前記アンチエイリアシングオフセット間隔は△ｘａ＝０．５＊△ｔ＊Ｖｍｉｎであり、ここで、△ｔは、前記受信したＦＷＳデータのサンプリング時間間隔であり、Ｖｍｉｎは波成分の速度の下限である、処理と；
前記受信したＦＷＳデータ及び前記一組のアンチエイリアシングオフセット値に基づき、補間されたＦＷＳデータを生成する処理と；
前記一組のアンチエイリアシングオフセット値及び前記一組のｓｌｏｗｎｅｓｓ値に基づき、前記補間されたＦＷＳデータにラドン変換を実行する処理と；を含む、処理と；
前記波成分の中心速度、速度範囲、中心時間、及び時間範囲を特定するために速度解析を実行する処理と；
スラントウィンドウを用いて、前記波成分に対応するラドン変換済みＦＷＳデータを抽出する処理であって、前記スラントウィンドウは、前記波成分の前記中心速度及び前記中心時間に基づき特定された点を中心としており、前記スラントウィンドウは、前記波成分の前記速度範囲及び前記時間範囲に基づき特定されるサイズを有する、処理と；
前記抽出されたラドン変換済みＦＷＳデータに対して逆ラドン変換を実行することによって、前記波成分の信号を特定する処理と；を備える、
システム。
【請求項６】
前記波成分は、圧縮波、せん断波、又はストンリー波のうちの１つである、
請求項５に記載のシステム。
【請求項７】
非一時的なコンピュータ読取可能媒体であって、コンピュータシステムによって実行可能な１又は複数の命令を所定の動作を実行するために格納し、前記所定の動作は、
全波形音波（ＦＷＳ）データを受信する処理と；
前記受信したＦＷＳデータにアンチエイリアシング線形ラドン変換を実行する処理であって、
アンチエイリアシングオフセット間隔に基づき、一組のアンチエイリアシングオフセット値及び一組のｓｌｏｗｎｅｓｓ値を特定する処理であって、前記アンチエイリアシングオフセット間隔は△ｘａ＝０．５＊△ｔ＊Ｖｍｉｎであり、ここで、△ｔは前記受信したＦＷＳデータのサンプリング時間間隔であり、Ｖｍｉｎは波成分の速度の下限である、処理と；
前記受信したＦＷＳデータ及び前記一組のアンチエイリアシングオフセット値に基づき、補間されたＦＷＳデータを生成する処理と；
前記一組のアンチエイリアシングオフセット値及び前記一組のｓｌｏｗｎｅｓｓ値に基づき、前記補間されたＦＷＳデータにラドン変換を実行する処理と；を含む、処理と；
前記波成分の中心速度、速度範囲、中心時間、及び時間範囲を特定するために、速度解析を実行する処理と；
スラントウィンドウを用いて、前記波成分に対応するラドン変換済みＦＷＳデータを抽出する処理であって、前記スラントウィンドウは、前記波成分の前記中心速度及び前記中心時間に基づき特定された点を中心としており、前記スラントウィンドウは、前記波成分の前記速度範囲及び前記時間範囲に基づき特定されたサイズを有する、処理と；
前記抽出されたラドン変換済みＦＷＳデータに逆ラドン変換を実行することによって、前記波成分の信号を特定する処理と；を備える、
非一時的なコンピュータ読取可能媒体。
【請求項８】
前記波成分は、圧縮波、せん断波、又はストンリー波のうちの１つである、
請求項７に記載の非一時的なコンピュータ読取可能媒体。
【発明の詳細な説明】
【技術分野】
【０００１】
本願は、２０１７年５月１１日に出願された米国特許出願第１５／５９２，９７９号の優先権を主張し、その内容全体は参照により本明細書に組み込まれる。
【０００２】
本願は、全波形音波（フルウェーブフォーム音波、ＦＷＳ）データ処理に関する。
【背景技術】
【０００３】
全波形音波（ＦＷＳ）デバイスは、ＦＷＳデータを収集するために、坑井において使用することができ、該ＦＷＳデータは、地層の岩相特性及び流体特性についての情報を提供するために処理できる。地震及び垂直地震プロファイル（ＶＳＰ）といった他の地球物理学的測定とは異なり、ＦＷＳデータは、典型的には、短いサンプリング時間間隔を用いて測定されるが、オフセット（ｏｆｆｓｅｔ）間隔が大きいために、ＦＷＳデータのエイリアシング効果の一因になる。既存のＦＷＳ処理方法は、エイリアシング効果を大目にみて、他の分野において開発された処理技術をＦＷＳデータに単に適用しており、この結果、ＦＷＳ波動場の分離結果における不確実性及び不正確さをもたらす。
【発明の概要】
【０００４】
本開示は、全波形音波（ＦＷＳ）波動場分離のための処理方法に関連するコンピュータシステム、コンピュータプログラム製品、及びコンピュータにより実施される方法を含む、方法及びシステムについて説明する。
【０００５】
いくつかの実施では、ＦＷＳデータが受信される。アンチエイリアシング線形ラドン変換が、受信したＦＷＳデータに対して実行される。波成分に対応するラドン変換済みＦＷＳデータが、スラントウィンドウを用いて抽出される。該波成分の信号は、抽出されたラドン変換済みＦＷＳデータに対して逆ラドン変換を実行することによって特定される。
【０００６】
前述の実施は、コンピュータにより実施される方法、非一時的なコンピュータ読取可能媒体、及びコンピュータにより実施されるシステムを用いて実施可能である。非一時的なコンピュータ読取可能媒体は、コンピュータにより実施される方法を実行するコンピュータ読取可能な命令を格納する。コンピュータにより実施されるシステムは、非一時的なコンピュータ読取可能媒体に格納された命令／コンピュータにより実施される方法を実行するように構成されたハードウェアプロセッサと相互に利用可能に結合されたコンピュータメモリを含む。
【０００７】
本願において説明された主題は、いくつかの実施においては、アンチエイリアシング線形ラドン変換（ＡＡＬＲＴ）及び適応的傾斜抽出（ＡＳＥ）を使用することによって、エイリアシングアーチファクトのないＦＷＳ波成分を効率的に分離できる。ＡＡＬＲＴは、ＦＷＳデータの効率的な局所的な補間を可能にするために、指定された速度値によって特定されたアンチエイリアシングオフセット間隔を使用する。望まれない波成分の一部又は全てを含むことなく対象波の抽出を可能にするために、ＡＳＥは、ＦＷＳオフセット範囲に基づきスラントウィンドウを適応的に調整できる。手動の抽出方法と比較して、ＡＳＥは時間を節約でき、人間の先入観を低減できる。他の利点は、当業者には明らかであろう。
【０００８】
本願に記載された主題における一又は複数の実施の詳細は、添付図面及び引き続く明細書に説明される。本主題の他の特徴、態様及び利点は、明細書、図面及び特許請求の範囲から明らかになる。
【図面の簡単な説明】
【０００９】
【図１】図１は、本願のいくつかの実施に係る、全波形音波（ＦＷＳ）波動場分離のための例示的な方法のフローチャートである。
【００１０】
【図２】図２Ａ〜図２Ｃは、本願のいくつかの実施に係る、圧縮波のためのＦＷＳ波動場分離を示すものである。
【００１１】
【図３】図３Ａ〜図３Ｃは、本願のいくつかの実施に係る、合成ＦＷＳギャザーのＦＷＳ波動場分離を示すものである。
【図４】図４Ａ〜図４Ｃは、本願のいくつかの実施に係る、合成ＦＷＳギャザーのＦＷＳ波動場分離を示すものである。
【００１２】
【図５】図５Ａ〜図５Ｄは、本願のいくつかの実施に係る、合成されていない実際のＦＷＳギャザーのためのＦＷＳ波動場分離を示すものである。
【００１３】
【図６】図６は、本願のいくつかの実施に係る、本願において記述されたアルゴリズム、記述された方法、記述された機能、記述されたプロセス、記述されたフロー、及び記述された手順に関連付けられた計算機能を提供するために使用された例示的なコンピュータシステムを示すブロック図である。
【００１４】
種々の図面における類似の参照番号及び記号は、同様の要素を指す。
【発明を実施するための形態】
【００１５】
以下の詳細な説明は、全波形音波（ＦＷＳ）波面分離の処理方法について説明し、１又は複数の特定の実施の観点において開示された主題を、当業者が作成し及び使用できるように提示される。開示された実施の様々な修正、変更、及び並べ替えを行うことができることは当業者には容易に明らかであり、また定義された一般原理は、本開示の範囲から逸脱することなく、他の実施及び応用（アプリケーション）に適用されるようにしてもよい。これ故に、本願は、説示または例示された実施に限定されることを意図するものではなく、開示された原理及び特徴と整合する最も広い範囲が与えられるべきである。
【００１６】
ＦＷＳデバイスは、ＦＷＳデータを収集するために、坑井において使用でき、該ＦＷＳデータは、地層の岩相特性及び流体特性についての情報を提供するために処理することができる。ＦＷＳデータは、線形又は準線形の屈折波、例えば、圧縮波、せん断波、ストンリー波の情報を含むことができ、該屈折波は、様々な波速度によって特徴付けられる。線形ラドン（Ｒａｄｏｎ）変換（又はスラントスタック（傾斜重合））が、ＦＷＳ波動場分離のために様々な波成分を抽出するために使用できる。ラドン変換は地震及びＶＳＰの処理に既に使用されているが、ＦＷＳデータ処理に対する使用は制限されてきた。地震を記録することと比較すると、空間方向（つまり、オフセット方向）におけるＦＷＳサンプルは、時間（ｔｉｍｅ）方向のサンプルよりかなり粗（ｓｐａｒｓｅ）である。粗な空間サンプルに起因して、地震処理のために開発されたラドン変換の方法論を直接的にＦＷＳデータに対して適用することを妨げるエイリアシング（ａｌｉａｓｉｎｇ）効果が、存在する。
【００１７】
線形ラドン変換は、ｔ＝ｐｘ＋τの関係に基づき、データをｏｆｆｓｅｔ（ｘ）−ｔｉｍｅ（ｔ）ドメイン（領域）からｓｌｏｗｎｅｓｓ（ｐ）−ｉｎｔｅｒｃｅｐｔ（τ）ラドンパラメータドメインに変換する。ここで、オフセットｘは、震源（ソース）送信器と受振器との距離を表すことができ、τは、ゼロオフセット（つまりｘ＝０）における移動時間を示し、ｓｌｏｗｎｅｓｓ（スローネス）のｐは、ｐ＝１／ｖによって、速度ｖに関連付けることができる。ＦＷＳデータの場合、密な時間サンプル及び粗な空間サンプルに起因して、通常、エイリアシング（疑信号）は、ｓｌｏｗｎｅｓｓ（ｐ）方向に生じる。ナイキストの法則に基づき、ラドンパラメータドメインにおいてスローネスサンプリングを制御するアンチエイリアシング（ａｎｔｉ−ａｌｉａｓｉｎｇ）条件は、次のように表現できる。
【数１】
0006943979.tif 000002
ここで、ｆｍａｘはＦＷＳデータの最大有効周波数であり、△ｘは、オフセット間隔であり、｜ｘ｜ｍａｘ及び｜ｘ｜ｍｉｎは、絶対値における最大及び最小のオフセット距離である。いくつかのＦＷＳデバイスでは、ＦＷＳ測定におけるサンプリング時間間隔（つまり、ＦＷＳデータを記録するときのサンプリング時間間隔）及びオフセット間隔は、それぞれ、２ｅ−５秒（ｓ）及び０．１５２４メートル（ｍ）である。ナイキストの法則は、最大有効周波数ｆｍａｘ＝１／（２×２ｅ−５）＝２５０００Ｈｚであることを示す。式（１）によると、スローネスｐ＜１／（２５０００×０．１５２４）＝０．０００３ｓ／ｍであり、速度ｖ＞１／０．０００３＝３８１０ｍ／ｓである。換言すれば、上記のＦＷＳ測定の設定の場合におけるエイリアシングアーチファクトの無い速度範囲は、３８１０ｍ／ｓよりも大きく、ほとんどの地層のせん断速度及びストンリー波の速度を超えている。いくつかの他の場合には、ＦＷＳデータは、さらにいっそう短いサンプリング時間間隔及びより大きなオフセット間隔、例えば１ｅ−５ｓ及び０．３０４８ｍ、を使用可能なＦＷＳデバイスによって入手でき、波速度は、エイリアシング（疑信号）を回避するために１５２４０ｍ／ｓより大きくすべきである。換言すると、ＦＷＳ波の多くの成分は、エイリアシングアーチファクトの下では区別できないことがあり得る。
【００１８】
高レベルにおいては、説明されたアプローチは、ＦＷＳ波動場の特徴を利用することによってＦＷＳ波動場を分離するための処理フローを説明する。説明したアプローチは、波動場を分離するために、アンチエイリアシング線形ラドン変換（Ａｎｔｉ−Ａｌｉａｓｉｎｇ  Ｌｉｎｅａｒ  Ｒａｄｏｎ  Ｔｒａｎｓｆｏｒｍ、ＡＡＬＲＴ）及び適応的傾斜抽出（Ａｄａｐｔｉｖｅ  Ｓｌａｎｔ  Ｅｘｔｒａｃｔｉｏｎ、ＡＳＥ）を使用する。ＡＡＬＲＴは、アンチエイリアシングオフセット間隔に基づきＦＷＳデータを補間する。ＡＡＬＲＴは、実際の地層速度範囲に基づきＦＷＳエイリアシング効果に柔軟に取り組むことができ、この結果として、波面分離のための高品質なラドン画像を発生できる。ＡＳＥは、他の波成分情報を含めずに実際のＦＷＳ構成に適応させることができるスラントウィンドウ（ｓｌａｎｔ  ｗｉｎｄｏｗ、傾斜されたウィンドウ）を用いて各波成分を抽出できる。
【００１９】
いくつかの実施では、ＦＷＳデータが受信される。受信したＦＷＳデータは、共通ショットギャザー（ｇａｔｈｅｒ、波形出力の集合）であり得る。アンチエイリアシング線形ラドン変換を、受信したＦＷＳデータに対して実行できる。波成分に対応するラドン変換済みＦＷＳデータは、スラントウィンドウを用いて抽出できる。波成分の信号は、抽出されたラドン変換済みＦＷＳデータに対して逆ラドン変換を実行することによって特定できる。波成分は、圧縮波、せん断波、又はストンリー波のいずれかであってよい。いくつかの実施においては、アンチエイリアシング線形ラドン変換を実行することは、アンチエイリアシングオフセット間隔に基づき一組のアンチエイリアシングオフセット値及び一組のスローネス値を特定すること、受信したＦＷＳデータ及び一組のアンチエイリアシングオフセット値に基づき補間されたＦＷＳデータを生成すること、及び一組のアンチエイリアシングオフセット値及び一組のスローネス値に基づき、補間されたＦＷＳデータに対してラドン変換を実行すること、を含むことができる。アンチエイリアシングオフセット間隔は、△ｘａ＝０．５×△ｔ×Ｖｍｉｎであり、ここで、△ｔは、受信したＦＷＳデータのサンプリング時間間隔であり、Ｖｍｉｎは、波成分の速度の下限である。いくつかの実施においては、速度解析は、波成分の中心速度、速度範囲、中心時間、及び時間範囲を特定するために実行できる。スラントウィンドウは、波成分の中心速度及び中心時間に基づき特定された点を中心にして置くことができ、またスラントウィンドウは、波成分の速度範囲及び時間範囲に基づき特定されたサイズを持つことができる。いくつかの実施においては、抽出されたラドン変換済みＦＷＳデータに対して逆ラドン変換を実行することは、一組の実際のオフセット値に基づき逆ラドン変換を実行することを含むことができる。
【００２０】
図１は、いくつかの実施に係る、ＦＷＳ波動場分離のための例示的な方法１００のフローチャートである。説明を明確にするために、以下の説明は、一般に、本願における他の図面の文脈にて方法１００を説明する。例えば、方法１００は、図６に記載されたコンピュータシステム、若しくは任意の適切なシステム、環境、ソフトウェア、及びハードウェア、又はシステム、環境、ソフトウェア、ハードウェアの適切な組み合わせによって実行することができる。いくつかの実施においては、方法１００の様々なステップは、並行して、組み合わせて、ループで、又は任意の順序で実行することができる。
【００２１】
高レベルにおいては、方法１００は主に、（１）情報チェック及び前処理、（２）アンチエイリアシング線形ラドン変換、（３）適応的傾斜抽出、及び（４）逆ラドン変換、の各ステップを含む。ブロック１０２においては、方法１００は、対象領域のＦＷＳデータ（又はトレース）を受信し及び前処理することを含む。例えば、対象領域は、１又は複数の地下の層を含むことができる。震源及び受振器を含むＦＷＳデバイスは、対象領域内における掘削孔内へ下ろすことができる。ＦＷＳの震源は、音波又はショット（ｓｈｏｔ）を掘削孔及び隣接の岩層に送ることができ、受振器は、屈折波又は反射波を測定及び記録することができる。受振器は、サンプリング時間間隔に合わせて受信波形をサンプリングし、サンプリングされたデータを記録することができる。場合によっては、震源は、受振器が反射波又は屈折波を記録するために、異なる場所で音波を発生することができる。例えば、ＦＷＳデバイスは、掘削孔内の第１の深さまで下ろすことができ、ＦＷＳ震源は、受振器が屈折波又は反射波を記録するための第１の波形又はショットを送出することができる。ＦＷＳデバイスは、次いで、掘削孔内の第２の深さに移されて、第２の波形又はショットを送出することができる。単一の震源波伝送又はショットに対応する一の受振器で記録されたデータは、トレースと称する。いくつかの実施においては、ブロック１０２において受信したＦＷＳデータは、多数の受振器において記録された単一のショットからのトレースを含む共通ショットギャザーである。
【００２２】
受信したＦＷＳデータは、ブロック１０４及び１０６の処理ステップにおいて使用できる情報を生成するために、前処理を行うことができる。前処理は、インタラクティブな速度解析のステップ、線形ムーブアウト補正のステップ、及び他の前処理のステップを含むことができる。前処理はまた、受信したＦＷＳデータの時間範囲、オフセット範囲、及び周波数範囲を特定することができる。例えば、周波数範囲は、受信したＦＷＳトレースのフーリエ変換を実行すると共にフーリエドメインにおいて最大信号周波数を識別することによって特定される。インタラクティブな速度解析は、波成分毎に時間及び速度の情報を特定できる。速度解析は、波成分毎の複数のタイプ情報、例えば中央時間及び中央速度、並びに時間と速度との両方の上限及び下限を含む速度ファイルを生成できる。中心速度及び中心時間は、沈んだ（ｄｉｐｐｅｄ）波動イベントを平坦化する線形ムーブアウト補正だけでなく、ラドンドメインにおける波成分の中心位置（τｃ、ｐｃ）を特定する際にも使用できる。速度及び時間のための上限及び下限（つまり、速度範囲及び時間範囲）、加えて（τｃ、ｐｃ）は、ブロック１０６においてＡＳＥのスラントウィンドウを特定するために使用できる。
【００２３】
ブロック１０４においては、ＡＡＬＲＴが、受信したＦＷＳデータに対して実行される。ＡＡＬＲＴにおいては、従来採用されていたトレース補間の代わりに、ラドンパラメータドメインにおいて局所化（ローカライズ）された補間のスキームが、利用可能なデータ情報を圧縮するために使用される。式（１）におけるアンチエイリアシング条件に基づき、アンチエイリアシングオフセット間隔は。△ｘａ＝０．５＊△ｔ＊Ｖｍｉｎとして定義でき、ここで、△ｔは、ＦＷＳデータを記録するために受信波をサンプリングする際のサンプリング時間間隔であり、また、Ｖｍｉｎは、波動速度の下限である。例えば、ブロック１０２においては、速度の下限が、圧縮波、せん断波、及びストンリー波の各々について特定することができ、Ｖｍｉｎは、３つの下限値のうちの最小値とすることができる。ここで、△ｘａは、Ｖｍｉｎより大きい速度を持つ波成分のための理論的なオフセット間隔であり、該波成分は、有効に測定され且つ有効に処理されると共に効果的にエイリアシングアーチファクトから免れていることに留意すべきである。アンチエイリアシングオフセットの広がりｘａは、最初に測定されたオフセットから最後に測定されたオフセットまでの範囲にあり、またΔｘａの間隔を空けて生成できる。例えば、実際のオフセットの広がり（つまり、ＦＷＳデータ獲得における震源と複数の受振器との間の実距離）が、オフセット間隔０．１５ｍを持つベクトルｘ＝［０．１５、０．３、０．４５、０．６］ｍとして表現される。アンチエイリアシングオフセット間隔△ｘａ＝０．０５ｍを用いると、アンチエイリアシングオフセットの広がりは、ベクトルｘａ＝［０．１５、０．２、０．２５、０．３、０．３５、０．４、０．４５、０．５、０．５５、０．６］ｍとして表現できる。
【００２４】
受信したＦＷＳデータを補間するために、ＦＷＳ共通ショットギャザーを形成し、周波数ドメイン（Ｆ−Ｘドメインとして知られている）に変換することができる。周波数ドメインにおけるＦＷＳギャザーは、下式に基づき、現実のオフセットの広がりｘにおける勾配ｇ及び切片ｉといった線形表現を特定するために使用できる。
【数２】
0006943979.tif 000003
ここで、Ｄｉａｇ（ｘ）は、その対角要素が実際のオフセットの広がりｘである対角行列であり、Ｄｉａｇ（１）は、Ｄｉａｇ（ｘ）と同じサイズを有すると共にその対角要素が１である対角行列であり、ｇ及びｉは各々ベクトルｘと同数の要素を持つ列ベクトルであり、またｄ（ｆ）は、周波数ｆを中心としたフィルタリング処理されたＦＷＳデータである。例えば、ｄ（ｆ）は、時間方向に沿って、トレース毎に共通ショットギャザーに対して離散フーリエ変換を実行することによって発生されることができ、またｄ（ｆ）は、全トレースの部分集合又は全トレースからであって特定周波数ｆでのフーリエ変換済みデータを含むことができる。式（２）は、劣決定系逆問題（ｕｎｄｅｒ−ｄｅｔｅｒｍｉｎｅｄ  ｉｎｖｅｒｓｉｏｎ）であり得、多くの正則化手法が、ｇとｉの滑らかな推定値を生成するために使用できる。いくつかの実施では、式（２）は、離散フーリエ変換からの周波数ポイント毎に解くことができる。
【００２５】
ｇ及びｉが特定された後に、アンチエイリアシングオフセットの広がりｘａ上における補間されたデータｄａ（ｆ）は、局所的な補間を実行することによって生成できる。いくつかの実施では、局所的な補間は、ｘをｘａに置き換えると共にアンチエイリアシングオフセットの広がりｘａのためにｇ及びｉを補間することによって、式（２）を順方向に適用することになる。例えば、補間されたデータｄａ（ｆ）は、以下のように特定できる。
【数Ａ】
0006943979.tif 000004
ここで、Ｄｉａｇ（ｘａ）は、その対角要素がアンチエイリアシングオフセットの広がりｘａである対角行列であり、Ｄｉａｇ（１）は、Ｄｉａｇ（ｘａ）と同サイズを有すると共にその対角要素が１である対角行列であり、ｇａ及びｉａは各々、ベクトルｘａと同数の要素を有する列ベクトルである。
【００２６】
ベクトルｇａ及びｉａは、近接の原理を用いて、ｇ及びｉに基づき補間できる。換言すれば、アンチエイリアシングオフセットにおける勾配及び切片は、該アンチエイリアシングオフセットに最も近い実際のオフセットにおける勾配及び切片によって特定できる。例えば、実際のオフセットの広がりｘ＝［０．１５、０．３、０．４５］ｍの場合、ｇ及びｉは、それぞれ、ｇ＝［ｇ１、ｇ２、ｇ３］Ｔ及びｉ＝［ｉ１、ｉ２、ｉ３］Ｔとして表すことができる。アンチエイリアシングオフセットの広がりが、ｘａ＝［０．１５、０．２、０．２５、０．３、０．３５、０．４、０．４５］ｍの場合、アンチエイリアシングオフセット０．２ｍが実際のオフセット０．１５ｍに最も近いので、実際のオフセット０．１５ｍにおける勾配及び切片であるｇ１及びｉ１は、アンチエイリアシングオフセット０．２ｍにおける勾配及び切片として使用できる。つまり、ｇａ＝［ｇ１、ｇ１、ｇ２、ｇ２、ｇ２、ｇ３、ｇ３］及びｉａ＝［ｉ１、ｉ１、ｉ２、ｉ２、ｉ２、ｉ３、ｉ３］となる。
【００２７】
アンチエイリアシングオフセットの広がりｘａに対応するラドンパラメータドメインにおけるｓｌｏｗｎｅｓｓサンプリング値ｐａは、式（１）のアンチエイリアシング条件にｘａを代入することによって特定できる。換言すると、ｓｌｏｗｎｅｓｓサンプリングベクトルｐａにおけるｉ番目の要素は、以下の通り特定できる。
【数Ｂ】
0006943979.tif 000005
ここで、ｘａ（ｉ）は、アンチエイリアシングオフセットベクトルｘａのｉ番目の要素であり、ｆｍａｘは、ブロック１０２において特定されたＦＷＳデータの最大信号周波数である。
【００２８】
アンチエイリアシングオフセットの広がりｘａにおける補間済みＦＷＳデータのラドン変換は、次の反転形式として定式化できる。
【数３】
0006943979.tif 000006
ｘａ（ｎ）は、アンチエイリアシングオフセットベクトルｘａのｎ番目の要素であり
、ｐａ（ｊ）は、ｓｌｏｗｎｅｓｓサンプリングベクトルｐａのｊ番目の要素であり、Ｌｊ、ｎは、行列Ｌの（ｊ、ｎ）番目の要素である。式（３）への正則化された解は、周波数ｆに関するラドン変換済みデータを以下のように生成できる。
【数４】
0006943979.tif 000007
ここで、ＬＨは、Ｌのエルミート転置を示し、μは、ノイズの影響を抑制する事前白色化（ｐｒｅ−ｗｈｉｔｅｎｉｎｇ）係数である。いくつかの実施では、μは、ＬＬＨの最大絶対値のパーセンテージ（例えば、０．１％〜１％の間のパーセンテージ）として特定できる。いくつかの実施では、式（４）は、周波数毎のラドン変換済みデータを生成するために使用され、またラドン画像は、逆フーリエ変換を用いて、全周波数の部分集合又は全てのラドン変換済みデータを、時間ドメインへ変換することによって生成される。換言すれば、式（４）は、補間済みＦＷＳデータのラドン画像を生成するために使用することができる。式（３）は、他のラドン変換タイプと同様な形式及び解を有するものの、式（３）は、次の２つの側面に関して他のものと異なる：（１）ｘａは、所望の速度範囲を十分にモデル化できるアンチエイリアシングオフセットの広がりとして計算されまた採用されること；（２）ｘａにわたってデータ情報を補償するために、局所化された補間は、ｄａを効率的に取得でき、また周波数及びオフセット上の局所化された詳細は、該プロセスにおいて大幅に保護されること。
【００２９】
ブロック１０６では、スラントウィンドウは、ブロック１０４において生成されたラドン画像から波成分を抽出するために使用することができる。クロスハッチされた（ｃｒｏｓｓ−ｈａｔｃｈｅｄ）エネルギクラスターが、有限の空間オフセットに起因してラドン画像に典型的に観察され、これ故に、通常用いられる長方形ウィンドウは、クロスハッチされた対象信号をラドン画像から抽出するには非効率的である。ＦＷＳ波動場分離の場合には、長方形の抽出は、対象波成分上において（図３Ｂに示されるように）不完全な又は混在した抽出を引き起こすことがあり、したがって分離品質を低下させる。クロスハッチされた対象信号が、所定のＦＷＳ構成に従って効率的にキャプチャするために、ＡＳＥは、ＦＷＳ波動場分離のためにスラントウィンドウを使用できる。
【００３０】
ラドンパラメータドメインにおいて（τｃ、ｐｃ）を中心とする対象波を抽出するために、ウィンドウ長の半分ｎτが特定できる。例えば、ｎτは、スラントウィンドウがラドンドメインにおいて対象波を囲むことができるように特定できる。いくつかの実施では、ブロック１０２において実行された速度及び時間の解析が、スラントウィンドウを特定するために使用できる。τ方向におけるスラントウィンドウの上下の境界は、次の式で特定できる。
【数５】
0006943979.tif 000008
ここで、ａｂｓは、絶対値を取る操作を示し、ｍｉｎ及びｍａｘは、それぞれ、最小化操作と最大化操作を示し、ｍｉｎ（ａｂｓ（ｘａ））＊ｐａ及びｍａｘ（ａｂｓ（ｘａ））＊ｐａにおける演算子＊は、要素毎の乗算を示し、また（τｃ、ｐｃ）は、ブロック１０２において特定される。式（５）の結果としての上限及び下限は、ベクトルｐａと同サイズのベクトルであり、また上限及び下限の境界ベクトルにおける要素は、対応するｓｌｏｗｎｅｓｓサンプリング値ｐａにおける境界値を表す。式（５）では、アンチエイリアシングオフセット変数ｘａによれば、クロスハッチされた対象信号の適応的な記述が可能になり、また最小化操作及び最大化操作は、抽出のためにウィンドウエリアを拡大できる。いくつかの実施では、対象波の速度範囲又は時間範囲が利用可能な場合、抽出ウィンドウをさらに絞り込むことができる。例えば、ブロック１０２において特定された対象波の速度範囲に基づき、式（５）における完全なベクトルｐａ及びｘａを使用することに代えて、特定された速度範囲に対応するｐａ及びｘａの部分集合が、スラントウィンドウを導き出すために使用できる。いくつかの実施では、半ウィンドウ長ｎτが、ブロック１０２において特定された対象波の時間範囲に基づき特定できる。
【００３１】
ブロック１０８では、対象波成分の信号は、ラドンパラメータドメイン内の抽出された成分に逆ラドン変換を実行することによって回復する（ｒｅｃｏｖｅｒ）ことができる。例えば、逆ラドン変換は、式（３）を用いて、実際のオフセットの広がりｘに対して実行できる。いくつかの実施では、逆ラドン変換の結果は、複素数であり得、該複素数の実数部を用いると共に虚数部を削除することで、波成分を回復することができる。
【００３２】
図２Ａ〜図２Ｃは、いくつかの実施に係る、圧縮波のためのＦＷＳ波動場分離を示す。図２Ａは、０．３０４８ｍの間隔を有する８つの受振器上に記録されると共に５０００ｍ／秒の波速度を持つ圧縮波をシミュレートする合成ＦＷＳギャザー２００ａを例示する。データ記録のためのサンプリング時間間隔は１ｅ−５秒であり、合成ＦＷＳギャザーの主要な周波数は１０ｋＨｚである。図２Ａの横軸及び縦軸は、それぞれ、オフセット指標及び時間を表す。図２Ｂは、合成ＦＷＳギャザー２００ａに対して従来のラドン変換を直接に適用した後のラドン画像２００ｂを例示する。図２Ｂは、従来のラドン変換が散乱エネルギー写像（ｍａｐ）になる可能性があることを表しており、波成分が区別できないことを示す。図２Ｃは、合成ＦＷＳギャザー２００ａにＡＡＬＲＴを適用した後のラドン画像２００ｃを例示する。ドット２０２は、圧縮波成分を表し、この圧縮波成分は２ｅ−３ｓ／ｍのｓｌｏｗｎｅｓｓ、つまり、波速度５０００ｍ／ｓの逆数を有する。また、図２Ｃは、アンチエイリアシングオフセットｘａを採用することと局所的な補間を実行することとを含むＡＡＬＲＴを適用した後、ラドン画像２００ｃは、ラドン画像２００ｂと比較すると、ｓｌｏｗｎｅｓｓ（ｐ）−ｉｎｔｅｒｃｅｐｔ（τ）ドメインにおいてよりフォーカスされるようになることを示す。例えば、従来のラドン変換は、−２ｅ−５ｓ／ｍ〜２ｅ−５ｓ／ｍの範囲のｓｌｏｗｎｅｓｓサンプリング値のラドン画像２００ｂを生成する一方で、ＡＡＬＲＴは、−１ｅ−３ｓ／ｍ〜１ｅ−３ｓ／ｍの範囲のアンチエイリアシングｓｌｏｗｎｅｓｓサンプリング値のラドン画像２００ｃを生成する。換言すれば、１０００ｍ／ｓを超える速度の波成分は、ＡＡＬＲＴを用いてラドンパラメータドメインにおいて、有効にモデル化されまた特徴付けられ得る。
【００３３】
図３Ａ〜図４Ｃは、いくつかの実施に係る、合成ＦＷＳギャザーのＦＷＳ波動場分離を例示する。合成ギャザーは、０．３０４８ｍの間隔の８つの受振器に記録されると共に異なる主要な周波数を持つ圧縮波、せん断波、ストンリー波をシミュレートする。図３Ａ〜図３Ｃは、ラドンドメインにおける波動場分離を示し、図４Ａ〜図４Ｃは、図３Ａ〜図３Ｃに対応するｏｆｆｓｅｔ（ｘ）−ｔｉｍｅ（ｔ）ドメインにおける波動場を示す。図４Ａ〜図４Ｃは、それぞれ、図３Ａ〜図３Ｃの逆ラドン変換を実行することによって生成することができる。図３Ａは、ラドンドメインにおける圧縮波３０２及びせん断波３０４を含むトータル波動場３００ａを示し、該ラドンドメインでは、圧縮波の線形ムーブアウト補正が既に実行されており、圧縮波３０２が分離されるべき対象波である。図４Ａは、オフセット時間ドメインにおける合成ＦＷＳギャザーのトータル波動場４００ａを示しており、トータル波動場４００ａは、圧縮波４０２及びせん断波４０４を含む。図３Ｂは、小さな長方形ウィンドウには対象波成分３０２の完全な特徴を取り込む能力がないことを示しているが、大きなウィンドウ３０６は、せん断波３０４といった他の波成分に容易に切り込むことができ、図４Ｂに示されるように、混ざりものがある（ｉｎｐｕｒｅ）分離の結果をもたらし、対象の圧縮波４０２に加えてせん断波４０４が存在する。図３Ｃは、ＡＳＥのスラントウィンドウ３０８が、せん断波３０４に切り込むことなく対象成分３０２を抽出できることを例示する。図４Ｃは、ＡＳＥが、せん断波４０４ではなく対象の圧縮波４０２を含む混じりけのない（クリーンな）分離の結果を生成することを例示する。
【００３４】
図５Ａ〜図５Ｄは、いくつかの実施に係る、実際のＦＷＳギャザーのためのＦＷＳ波動場分離を示す。図５Ａは、実際のＦＷＳショットギャザー５００ａを示しており、縦軸及び横軸は、ＦＷＳギャザーの時間サンプル指標及びオフセット指標を表す。ＦＷＳギャザー５００ａは、浅い圧縮波成分５０８を除いて、せん断波及びストンリー波がエイリアシング効果に起因して区別できないことを示す。またノイズは、特に深いストンリー波の波動場分離のためには好ましくない要因である。図５Ｂ〜図５Ｄは、ＦＷＳギャザー５００ａへ説明されたアプローチを使用することによる分離結果を示す。図５Ｂ〜図５Ｄは、それぞれ、分離された圧縮波５０２、せん断波５０４、及びストンリー波５０６を示し、該説明されたアプローチは、エイリアシング及びノイズといった実際上の脅威にもかかわらず高品質の分離結果を生成できることを示す。
【００３５】
図６は、いくつかの実施に係る、本願で説明されるような記述されたアルゴリズム、方法、機能、プロセス、フロー、及び手順に関連付けられた計算機能を提供するために使用された例示的なコンピュータシステム６００のブロック図である。図示されたコンピュータ６０２は、サーバ、デスクトップコンピュータ、ラップトップ／ノートブックコンピュータ、無線データポート、スマートフォン、パーソナルデータアシスタント（ＰＤＡ）、タブレットコンピューティングデバイス、これらのデバイスのうちの１つ若しくは複数のプロセッサ、又は任意の他の適切な処理デバイスといった任意のコンピューティングデバイスを包含することを意図しており、該コンピューティングデバイスの物理インスタンス又は仮想インスタンス（又はその両方）を含む。加えて、コンピュータ６０２は、キーパッド、キーボード、タッチスクリーン、又はユーザ情報を受け入れ可能な他のデバイスといった入力デバイスと、コンピュータ６０２の動作に関連付けられた情報を伝達する出力デバイスとを含むコンピュータを包含していてもよく、デジタルデータ、視覚情報、または音声情報（若しくは情報の組み合わせ）、又はグラフィカルユーザインタフェース（ＧＵＩ）を含む。
【００３６】
コンピュータ６０２は、クライアント、ネットワークコンポーネント、サーバ、データベースあるいは他の持続性のもの、又は本願に説明された主題を実行するためのコンピュータシステムの任意の他のコンポーネント（又は役割の組み合わせ）としての役割を果たすことができる。例示のコンピュータ６０２は、ネットワーク６３０と通信可能に結合される。いくつかの実施では、コンピュータ６０２の１又は複数のコンポーネントは、クラウドコンピューティングベースの、ローカルな、グローバルな、又は他の環境（又は環境の組み合わせ）を含む環境内で動作するように構成できる。
【００３７】
高レベルでは、コンピュータ６０２は、説明された主題に関連付けられたデータ及び情報を受け、送出し、処理し、保存し、又は管理するように動作可能な電子的計算デバイスである。いくつかの実施によれば、コンピュータ６０２は、アプリケーションサーバ、電子メールサーバ、ウェブサーバ、キャッシングサーバ、ストリーミングデータサーバ、又は他のサーバ（又はサーバの組み合わせ）を含んでいても、或いは通信可能に結合されていてもよい。
【００３８】
コンピュータ６０２は、（例えば、別のコンピュータ６０２上で動作する）クライアントアプリケーションからネットワーク６３０を介してリクエストを受けることができ、受信したリクエストを適切なソフトウェアアプリケーションを用いて処理することによって受信したリクエストに応答することができる。加えて、リクエストは、コンピュータ６０２へ、（例えば、コマンドコンソールから又は他の適切なアクセス方法によって）内部ユーザ、外部ユーザ又はサードパーティ、他の自動化されたアプリケーション、更には、その他の適切なエンティティ、個人、システム、又はコンピュータから送信されるようにしてもよい。
【００３９】
コンピュータ６０２の各コンポーネントは、システムバス６０３を用いて通信できる。いくつかの実施では、コンピュータ６０２のコンポーネントのいずれか又は全ては、ハードウェア又はソフトウェアの両方（又はハードウェア及びソフトウェアの組み合わせ）が、アプリケーションプログラミングインタフェース（ＡＰＩ）６１２又はサービスレイヤ６１３（又は、ＡＰＩ６１２及びサービスレイヤ６１３の組み合わせ）を用いて、システムバス６０３を介して、互いに又はインタフェース６０４（又は両方の組み合わせ）とインタフェース接続することができる。ＡＰＩ６１２は、ルーチン、データ構造、及びオブジェクトクラスの仕様を含むことができる。ＡＰＩ６１２は、コンピュータ言語に依存しないか又は依存するかのいずれかであり、また完全なインタフェース、単一の関数、又は一組のＡＰＩを指していてもよい。サービスレイヤ６１３は、コンピュータ６０２へソフトウェアサービスを、又はコンピュータ６０２に通信可能に結合された他のコンポーネントを（図示されているかどうかに関わらず）提供する。コンピュータ６０２の機能は、このサービスレイヤを用いて全てのサービスコンシューマにアクセス可能であってもよい。サービスレイヤ６１３によって提供されたサービスといったソフトウェアサービスは、定義済みのインタフェースを介して再利用可能な定義済み機能を提供する。例えば、インタフェースは、ＪＡＶＡ（登録商標）、Ｃ＋＋、又は、拡張マークアップ言語（ＸＭＬ）フォーマット若しくは他の適切なフォーマットでデータを提供する他の適切な言語で書かれたソフトウェアであり得る。コンピュータ６０２の統合コンポーネントとして図示される一方で、代替の実施は、ＡＰＩ６１２又はサービスレイヤ６１３を、コンピュータ６０２の他のコンポーネント又はコンピュータ６０２に通信可能に結合された他のコンポーネントに（図示されているかどうかに関わらず）関連してスタンドアロンコンポーネントとして例示することができる。さらには、ＡＰＩ６１２又はサービスレイヤ６１３のいずれか又は全ての部分は、本願の範囲から逸脱することなく、別のソフトウェアモジュール、エンタープライズアプリケーション、又はハードウェアモジュールの子モジュール又はサブモジュールとして実施されるようにしてもよい。
【００４０】
コンピュータ６０２は、インタフェース６０４を含む。図６には単一のインタフェース６０４として図示されているが、２つ又はそれより多くのインタフェース６０４を、コンピュータ６０２の特定のニーズ、要望、又は特定の実施に従って使用することができる。インタフェース６０４は、分散環境においてネットワーク６３０に（図示されているかどうかに関わらず）接続される他のシステムと通信するために、コンピュータ６０２によって使用される。一般にインタフェース６０４は、ソフトウェア又はハードウェア（又はソフトウェア及びハードウェアの組み合わせ）でエンコードされたロジックを含み、またネットワーク６３０と通信するように動作可能である。より具体的には、インタフェース６０４は、ネットワーク６３０又はインタフェースのハードウェアが図示のコンピュータ６０２の内側及び外側において物理信号を通信するように動作可能であるように、通信に関連付けられた１又は複数の通信プロトコルをサポートするソフトウェアを含むことができる。
【００４１】
コンピュータ６０２は、プロセッサ６０５を含む。図６においては単一のプロセッサ６０５として示されるが、２又はそれより多くのプロセッサを、コンピュータ６０２の特定のニーズ、要望、又は特定の実施に従って使用することができる。一般に、プロセッサ６０５は、命令を実行し、また、本願に記載されるように、コンピュータ６０２の動作、及び任意のアルゴリズム、方法、機能、プロセス、フロー、若しくは手順を実行するためにデータを処理する。
【００４２】
また、コンピュータ６０２は、コンピュータ６０２又はネットワーク６３０に（図示されているかどうかに関わらず）接続可能な他のコンポーネント（又はこの両方の組み合わせ）のためのデータを保持することができるデータベース６０６を含む。例えば、データベース６０６は、インメモリの、従来型の、又は他のタイプのデータベースであることができ、該データベースは、本願に整合するデータを格納する。いくつかの実施では、データベース６０６は、説明された機能及びコンピュータ６０２の特定のニーズ、要望、又は特定の実施に従う、２以上の異なるデータベースタイプの組み合わせ（例えば、インメモリと従来型とのハイブリッド型データベース）であり得る。図６において単一のデータベース６０６として示されるが、（同じタイプ又はタイプの組み合わせの）２以上のデータベースは、説明された機能及びコンピュータ６０２の特定のニーズ、要望、又は特定の実施に従って、使用できる。データベース６０６は、コンピュータ６０２の不可欠な構成要素として示されるが、代替の実施では、データベース６０６は、コンピュータ６０２の外部にあってもよい。例えば、データベース６０６は、ＦＷＳデータを保持することができる。
【００４３】
また、コンピュータ６０２は、ネットワーク６３０に（図示されているかどうかに関わらず）接続できるコンピュータ６０２又は他のコンポーネント（又は両方の組み合わせ）のためのデータを保持可能なメモリ６０７を含む。例えば、メモリ６０７は、ランダムアクセスメモリ（ＲＡＭ）、読み取り専用メモリ（ＲＯＭ）、光学的なもの、磁気的なもの等であることができ、本願に整合するデータを格納する。いくつかの実施では、メモリ６０７は、説明された機能及びコンピュータ６０２の特定のニーズ、要望又は特定の実施に従う、２又はより多くの異なるタイプのメモリの組み合わせ（例えば、ＲＡＭと磁気記憶装置との組み合わせ）であることができる。図６には単一のメモリ６０７として示されるが、（同じタイプ又はタイプの組み合わせの）２以上のメモリ６０７が、説明された機能及びコンピュータ６０２の特定のニーズ、要望、又は特定の実施に従って使用できる。メモリ６０７は、コンピュータ６０２の不可欠な構成要素として示されるが、代替の実施では、メモリ６０７はコンピュータ６０２の外部にあってもよい。
【００４４】
アプリケーション６０８は、コンピュータ６０２の特定のニーズ、要望、又は特定の実施に従う機能を、特に本願において説明された機能に関して提供するアルゴリズムソフトウェアエンジンである。例えば、アプリケーション６０８は、１又は複数のコンポーネント、モジュール、又はアプリケーションとして働くことができる。さらに、単一のアプリケーション６０８として示されているが、アプリケーション６０８は、コンピュータ６０２上において複数のアプリケーション６０８として実施されていてもよい。加えて、コンピュータ６０２と一体として図示されているが、代替の実施では、アプリケーション６０８は、コンピュータ６０２の外部にあってもよい。
【００４５】
コンピュータ６０２を含むコンピュータシステムに関連付けられ又は外部にあるコンピュータ６０２が任意の数あってよく、各コンピュータ６０２は、ネットワーク６３０を介して通信する。さらに、語句「クライアント」、「ユーザ」、及び他の適切な用語は、本願の範囲から逸脱することなく、適宜交換可能に使用されてもよい。さらには、本願は、多くのユーザが１台のコンピュータ６０２を使用してよいこと、又は１人のユーザが複数のコンピュータ６０２を使用してよいことを想定している。
【００４６】
本明細書で記述された主題及び機能的な操作の実施は、デジタル電子回路、有形に具体化されたコンピュータのソフトウェア又はファームウェア、コンピュータハードウェアに、又はそれらの一又は複数の組み合わせで実施でき、これらデジタル電子回路、ソフトウェア、ファームウェア、及びコンピュータハードウェアは、本明細書に開示される構造及びそれらの構造的な同等物を含む。本明細書で記述された主題に係る実施は、１又は複数のコンピュータプログラム、つまり、コンピュータプログラム命令の一又は複数のモジュールとして実施されることができ、コンピュータプログラム命令は、データ処理装置により実施されるシステムによる実行のために、有形の非一時的なコンピュータ読取可能なコンピュータ記憶媒体上にエンコードされ、又はコンピュータ若しくはコンピュータにより実施されるシステムの動作を制御する。代替的に又は追加的に、プログラム命令は、人工的に生成された伝播信号、例えば、マシン生成の電気的、光学的、又は電磁気的な信号にエンコードされ、この信号は、データ処理装置による実行のために受振器装置への送信用の情報をエンコードするために生成される。コンピュータ記憶媒体は、機械により読取可能な記憶装置、機械により読取可能な記憶基板、ランダム若しくはシリアルアクセスのメモリデバイス、又はコンピュータ記憶媒体の組み合わせであり得る。
【００４７】
「リアル−タイム」、「リアルタイム」、「リアル（ファースト）タイム（ＲＦＴ）」、「ほぼリアルタイム（ＮＲＴ）」、「準リアルタイム」、又は（当業者が理解する）類似の用語は、個々が、実質的に同時に動作及び応答が生じることを知覚するように、該動作及び応答が時間的に近接していることを意味する。例えば、データにアクセスするための個々の動作に続くデータの表示（又は表示の開始）に対する応答の時間差は、１ｍｓ未満、１ｓｅｃ未満、又は５ｓｅｃ未満であり得る。要求されたデータが、即時に表示（又は表示開始）される必要はないが、記述されたコンピューティングシステムの処理制限と、データを例えば収集し、正確に評価し、分析し、処理し、格納し、又は送信するために必要な時間とを考慮して、意図的な遅延なしに表示（又は表示が開始）される。
【００４８】
用語「データ処理装置」、「コンピュータ」、又は「電子コンピュータデバイス」（又は当業者によって理解される同等の用語）は、データ処理ハードウェアを指し、あらゆる種類の装置、デバイス、及びマシンを包含し、これらの種類は、データを処理するためのものであり、例示として、プログラマブルプロセッサ、コンピュータ、又は複数のプロセッサ若しくはコンピュータを含む。コンピュータは、例えば、中央処理装置（ＣＰＵ）、ＦＰＧＡ（フィールドプログラマブルゲートアレイ）、又はＡＳＩＣ（特定用途向け集積回路）を包含する専用ロジック回路であるか、又はこれらを更に含むことができる。いくつかの実施では、データ処理装置、又は専用ロジック回路（又はデータ処理装置と専用ロジック回路との組み合わせ）は、ハードウェア系又はソフトウェア系（又はソフトウェア系及びハードウェア系の両方の基づく組み合わせ）であることができる。装置は、オプションとして、コンピュータプログラムの実行環境を生成するコード、例えば、プロセッサファームウェア、プロトコルスタック、データベース管理システム、オペレーティングシステム、又は実行環境の組み合わせを構成するコードを含むことができる。本願は、例えば、ＬＩＮＵＸ、ＵＮＩＸ（登録商標）、ＷＩＮＤＯＷＳ（登録商標）、ＭＡＣＯＳ、ＡＮＤＲＯＩＤ（登録商標）、ＩＯＳ、又は他の任意の適切なオペレーティングシステムといった従来のオペレーティングシステムを伴う又は伴わないデータ処理装置を使用することを意図している。
【００４９】
コンピュータプログラムは、プログラム、ソフトウェア、ソフトウェアアプリケーション、モジュール、ソフトウェアモジュール、スクリプト、又はコードとして参照され又は記述されるものであって、コンパイル言語若しくはインタープリタ言語を含むプログラミング言語、又は宣言型若しくは手続き型の言語の形式で記載でき、またコンピュータプログラムは、コンピューティング環境で使用するための任意の形式で展開でき、スタンドアロンプログラム、モジュール、コンポーネント、サブルーチン、又は他の適切なユニットとして含む。コンピュータプログラムは、ファイルシステム内のファイルに対応できるが、必ずしも対応する必要はない。プログラムは、他のプログラム又はデータを保持するファイルの一部、例えばマークアップ言語ドキュメントに格納された一又は複数のスクリプトに保存でき、該他のプログラムは、問題のプログラム専用の単一ファイル内に、或いは複数の連携したファイル、例えば一又は複数のモジュール、サブプログラム、又はコードの一部に格納できる。コンピュータプログラムは、一又は複数のコンピュータ上に展開でき、該コンピュータは、一のサイトに位置し、又は複数のサイトに分散されて配置され、これらは通信ネットワークによって相互接続される。様々な図面に例示されたプログラムの部分は、個々のモジュールとして示され、様々なオブジェクト、方法、又は他のプロセスを介して、種々の特徴及び機能を実施しているが、プログラムは、それらの代わりに、いくつかのサブモジュール、サードパーティのサービス、コンポーネント、ライブラリ、及びそれらを、必要に応じて含むことができる。逆に、必要に応じて、様々なコンポーネントの機能及び特徴は、単一のコンポーネントに組み合わせることができる。計算上の特定を為すために使用されたしきい値は、静的に、動的に、又は静的と動的との両方で特定できる。
【００５０】
本明細書で説示された方法、プロセス、又は論理フローは、一又は複数のプログラム可能なコンピュータによって実行でき、該コンピュータは、入力データを操作して出力データを生成することによって機能を実行する一又は複数のコンピュータプログラムを実行する。方法、プロセス、又は論理フローは、特定用途のロジック回路、例えばＣＰＵ、ＦＰＧＡ、又はＡＳＩＣとして実行でき、また装置も、特定用途のロジック回路、例えばＣＰＵ、ＦＰＧＡ、又はＡＳＩＣとして実施できる。
【００５１】
コンピュータプログラムの実行のための適切なコンピュータは、汎用又は特定用途のマイクロプロセッサ、これらの両方、又は別の種類ＣＰＵに基づくことができる。一般的には、ＣＰＵは、読み取り専用メモリ（ＲＯＭ）又はランダムアクセスメモリ（ＲＡＭ）あるいはその両方から命令及びデータを受け取る。コンピュータの重要な要素は、命令を行い又は実行するためのＣＰＵ、及び命令及びデータを保存するための一又は複数のメモリデバイスである。一般に、コンピュータは、データを保存するための一又は複数の大容量記憶装置、例えば磁気、光磁気ディスク、又は光ディスクを含み、或いはこれらの大容量記憶装置に動作可能に結合され、データを受信し、転送し、又はこの両方を行う。しかし、コンピュータは、そのようなデバイスを持つ必要はない。さらには、コンピュータは、別のデバイス、例えば携帯電話、携帯情報端末（ＰＤＡ）、モバイルオーディオ若しくはビデオプレーヤー、ゲームコンソール、全地球測位システム（ＧＰＳ）受信機、又はポータブルストレージデバイス、例えばユニバーサルシリアルバス（ＵＳＢ）、フラッシュドライブ等に組み込むことができる。
【００５２】
コンピュータプログラム命令及びデータを格納するための適切な（必要に応じて一時的又は非一時的な）コンピュータ読取可能媒体は、例示として半導体メモリデバイス、磁気デバイス、及び光学メモリデバイスを含む、あらゆる形態のメモリ、媒体、及びメモリデバイスを含む。あらゆる形態のメモリデバイスは：半導体メモリデバイス、例えば、消去可能プログラマブルリードオンリーメモリ（ＥＰＲＯＭ）、電気的消去可能プログラマブル読み取り専用メモリ（ＥＥＰＲＯＭ）、及びフラッシュメモリデバイスと；磁気ディスク、例えば、内部／ハードディスク又はリムーバブルディスクと；光磁気ディスクと；ＣＤ−ＲＯＭ、ＤＶＤ＋／−Ｒ、ＤＶＤ−ＲＡＭ、及びＤＶＤ−ＲＯＭディスクと；を含む。メモリは、様々なオブジェクト又はデータを格納でき、オブジェクト又はデータは、キャッシュ、クラス、フレームワーク、アプリケーション、バックアップデータ、ジョブ、Ｗｅｂページ、Ｗｅｂページテンプレート、データベーステーブル、動的情報を格納するリポジトリ、及び他の適切な情報を包含しており、他の適切な情報は、任意のパラメータ、任意の変数、任意のアルゴリズム、任意の命令、任意のルール、任意の制約、又は任意の参照を含む。さらに、メモリは、ログ、ポリシー、セキュリティ又はアクセスのデータ、レポートファイル、同様の他のものといった他の適切なデータを含むことができる。プロセッサ及びメモリは、特定用途ロジック回路によって補完され又は組み込むことができる。
【００５３】
ユーザとのインタラクションを提供するために、本明細書で記載された主題の実施は、ユーザに情報を表示するためのディスプレイデバイス、例えばＣＲＴ（陰極線管）、ＬＣＤ（液晶ディスプレイ）、ＬＥＤ（発光ダイオード）又はプラズマモニターと、ユーザがコンピュータに入力を提供するキーボード及びポインティングデバイス、例えばマウス、トラックボール、トラックパッドとを有するコンピュータ上で実施できる。入力が、タブレットコンピュータの感圧性表面、静電容量式若しくは電気式のセンシングを使用したマルチタッチスクリーン、又は別のタイプのタッチスクリーンといった、タッチスクリーンを用いてコンピュータに提供することもできる。他の種類のデバイスが、ユーザとのインタラクションを提供するために使用できる。同様に、例えば、ユーザに提供されるフィードバックは、例えば、視覚フィードバック、聴覚フィードバック、触覚フィードバック、及びあらゆる形態の感覚のフィードバックであり得る。ユーザからの入力は、音響入力、音声入力、触覚入力を包含する、あらゆる形式で受信できる。さらに、コンピュータは、ユーザによって使用されるクライアントコンピューティングデバイスからのドキュメントを受信し及び該ドキュメントをデバイスに送信することによって（例えば、Ｗｅｂブラウザから受けたリクエストに応答してユーザのクライアントデバイス上においてＷｅｂブラウザにＷｅｂページを送ることにより）ユーザとインタラクションできる。
【００５４】
用語「グラフィカルユーザインタフェース」又は「ＧＵＩ」は、単数又は複数で使用して、一又は複数のグラフィカルユーザインタフェース及び特定のグラフィカルユーザインタフェースのディスプレイの各々を説明できる。したがって、ＧＵＩは、Ｗｅｂブラウザ、タッチスクリーン、又はコマンドラインインタフェース（ＣＬＩ）を含むが、これらに限定されることなく、任意のグラフィカルユーザインタフェースを提示することができ、コマンドラインインタフェースは、情報を処理すると共に情報の結果をユーザに効率的に提示する。一般的に、ＧＵＩは、いくつかユーザインタフェース（ＵＩ）要素、例えばインタラクティブフィールド、プルダウンリスト、ボタンを含むことができ、これらのうちのいくつか又は全ては、Ｗｅｂブラウザに関連付けられる。これら及び他のＵＩ要素は、Ｗｅｂブラウザの機能に関連付けられまたＷｅｂブラウザの機能を表すことができる。
【００５５】
本明細書で記述された主題の実施は、バックエンドコンポーネントを例えばデータサーバとして含むコンピューティングシステム、ミドルウェアコンポーネントを、例えばアプリケーションサーバとして含むコンピューティングシステム、フロントエンドコンポーネントを、例えばクライアントコンピュータとして含むコンピューティングシステム、及び、一又は複数のこのようなバックエンド、ミドルウェア、又はフロントエンドコンポーネントの任意の組み合わせを含むコンピューティングシステムにおいて実施でき、クライアントコンピュータは、ユーザが本明細書においで記述される主題の実施とインタラクションできるグラフィカルユーザインタフェース又はＷｅｂブラウザを有する。システムのコンポーネントは、有線又は無線のデジタルデータ通信（又はデータ通信の組み合わせ）、例えば通信ネットワークの任意の形式又は媒体によって相互接続されることができる。通信ネットワークの例示は、ローカルエリアネットワーク（ＬＡＮ）、無線アクセスネットワーク（ＲＡＮ）、メトロポリタンエリアネットワーク（ＭＡＮ）、広域ネットワーク（ＷＡＮ）、マイクロ波アクセスの世界的な相互運用性（ＷＩＭＡＸ）、例えば８０２．１１ａ／ｂ／ｇ／ｎ又は８０２．２０（又は８０２．１１ｘと８０２．２０の組み合わせ、又は本開示に整合する他のプロトコル）を用いる無線ローカルエリア（ＷＬＡＮ）、インターネットの全て若しくは一部、別の通信システム、又は１又は複数の位置におけるシステム（又は通信ネットワークとの組み合わせ）を含む。ネットワークは、例えば、インターネットプロトコル（ＩＰ）パケット、フレームリレーフレーム、非同期転送モード（ＡＴＭ）セル、音声、ビデオ、データ、又はネットワークアドレス間の他の情報（又は通信タイプの組み合わせ）と通信してよい。
【００５６】
コンピューティングシステムは、クライアント及びサーバを含むことができる。クライアント及びサーバは、一般的には、互いに離れており、また典型的には、通信ネットワークを介してインタラクションする。クライアント及びサーバの関係は、それぞれのコンピュータ上で動作すると共に互にクライアント・サーバ関係にあるコンピュータプログラムのおかげで生じる。
【００５７】
本明細書は多くの特定の実施の詳細を含む一方で、これらは、任意の発明の範囲又は請求される得る範囲の制限として解釈されるべきではなく、むしろ、特定の発明の特定の実施固有の特徴の説明として解釈されるべきである。個別の実施の観点で本明細書において説明された機能は、組み合わせて又は単一の実施で、実現できる。逆に、単一の実施の観点で既述された様々な特徴は、複数の実施で、個別に、又は任意のサブコンビネーションで実施されることもできる。さらには、既述の特徴は特定の組み合わせで動作するものとして説示され、最初はそのようなものとして請求されているが、一又は複数の特徴は、請求された組み合わせから場合によっては削除され、またサブコンビネーション又はサブコンビネーションの変形であり得る。
【００５８】
主題の特定の実施が説明された。記載された実施の置換、変更、及び他の実施は、当業者には明らかである以下の請求の範囲内である。操作は特許請求の範囲に又は特定の順序で図面に描かれている一方で、これは、望ましい結果を達成するために、示された特定の順序で又は順番でそのような操作が実行されること又は全ての図示された操作が実行される（いくつかの操作は随意的と見なされる）ことを要求するものとして理解されるべきではない。ある状況では、マルチタスク又は並列処理（又はマルチタスク及び並列処理の組み合わせ）を行うことが有利であり、適切と思われる場合に実行される。
【００５９】
さらに、既述の実施における様々なシステムモジュール及びコンポーネントの分離又は統合が、全ての実施においてそのような分離又は統合を必要とするものとして理解されるべきではない。また、記載されたプログラムコンポーネント及びシステムは、一般的には、単一のソフトウェア製品に統合でき、又は複数のソフトウェア製品にパッケージ化できることが理解されるべきである。
【００６０】
これに従って、既述の例示的な実施は、本願を定義し又は制約しない。他の変更、置換、及び変更も、本開示の範囲及び精神から逸脱することなく可能である。
【００６１】
さらには、請求された任意の実施は、少なくとも、コンピュータにより実施される方法、非一時的なコンピュータ読取可能媒体、及びコンピュータシステムに適用可能であると考えられ、非一時的なコンピュータ読取可能媒体は、コンピュータにより実施される方法を実行するコンピュータにより読取可能な命令を格納し、またコンピュータシステムは、ハードウェアプロセッサに相互に動作可能に結合されたコンピュータメモリを含み、ハードウェアプロセッサは、非一時的なコンピュータ読取可能媒体に格納されたコンピュータにより実施される方法又は命令を実行するように構成される。
以下、本発明の実施の態様の例を列挙する。
［第１の局面］
全波形音波（ＦＷＳ）データを受信するステップと；
前記受信したＦＷＳデータにアンチエイリアシング線形ラドン変換を実行するステップと；
スラントウィンドウを用いて、波成分に対応するラドン変換済みＦＷＳデータを抽出するステップと；
前記抽出されたラドン変換済みＦＷＳデータに逆ラドン変換を実行することによって、前記波成分の信号を特定するステップと；を備える、
方法。
［第２の局面］
前記波成分は、圧縮波、せん断波、又はストンリー波のうちの１つである、
第１の局面に記載の方法。
［第３の局面］
前記アンチエイリアシング線形ラドン変換を実行するステップは：
アンチエイリアシングオフセット間隔に基づき、一組のアンチエイリアシングオフセット値及び一組のｓｌｏｗｎｅｓｓ値を特定するステップと；
前記受信したＦＷＳデータ及び前記一組のアンチエイリアシングオフセット値に基づき、補間されたＦＷＳデータを生成するステップと；
前記一組のアンチエイリアシングオフセット値及び前記一組のｓｌｏｗｎｅｓｓ値に基づき、前記補間されたＦＷＳデータにラドン変換を実行するステップと；を備える、
第１の局面に記載の方法。
［第４の局面］
前記アンチエイリアシングオフセット間隔は△ｘａ＝０．５＊△ｔ＊Ｖｍｉｎであり、
ここで、△ｔは、前記受信したＦＷＳデータのサンプリング時間間隔であり、Ｖｍｉｎは、前記波成分の速度の下限である、
第３の局面に記載の方法。
［第５の局面］
前記波成分の中心速度、速度範囲、中心時間、及び時間範囲を特定するために、速度解析を実行するステップを更に備える、
第１の局面に記載の方法。
［第６の局面］
前記スラントウィンドウは、前記波成分の前記中心速度及び前記中心時間に基づき特定された点を中心としており、前記スラントウィンドウは、前記波成分の前記速度範囲及び前記時間範囲に基づき特定されたサイズを有する、
第５の局面に記載の方法。
［第７の局面］
前記抽出されたラドン変換ＦＷＳデータに逆ラドン変換を実行するステップは、一組の実際のオフセット値に基づき前記逆ラドン変換を実行するステップを備える、
第１の局面に記載の方法。
［第８の局面］
前記受信したＦＷＳデータは、共通ショットギャザーである、
第１の局面に記載の方法。
［第９の局面］
コンピュータメモリと；
前記コンピュータメモリに相互利用可能に結合され、所定の動作を実行するように構成された１又は複数のハードウェアプロセッサと；を備え、
前記動作は、
全波形音波（ＦＷＳ）データを受信する処理と；
前記受信したＦＷＳデータにアンチエイリアシング線形ラドン変換を実行する処理と；
斜されたウィンドウを用いて、波成分に対応するラドン変換済みＦＷＳデータを抽出する処理と；
前記抽出されたラドン変換済みＦＷＳデータに対して逆ラドン変換を実行することによって、前記波成分の信号を特定する処理と；を備える、
システム。
［第１０の局面］
前記波成分は、圧縮波、せん断波、又はストンリー波のうちの１つである、
第９の局面に記載のシステム。
［第１１の局面］
前記アンチエイリアシング線形ラドン変換を実行することは：
アンチエイリアシングオフセット間隔に基づき、一組のアンチエイリアシングオフセット値及び一組のｓｌｏｗｎｅｓｓ値を特定する処理と；
前記受信したＦＷＳデータ及び前記一組のアンチエイリアシングオフセット値に基づき、補間されたＦＷＳデータを生成する処理と；
前記一組のアンチエイリアシングオフセット値及び前記一組のｓｌｏｗｎｅｓｓ値に基づき、前記補間されたＦＷＳデータにラドン変換を実行する処理と；を備える、
第９の局面に記載のシステム。
［第１２の局面］
前記アンチエイリアシングオフセット間隔は△ｘａ＝０．５＊△ｔ＊Ｖｍｉｎであり、ここで、△ｔは、前記受信したＦＷＳデータのサンプリング時間間隔であり、Ｖｍｉｎは、前記波成分の速度の下限である、
第１１の局面に記載のシステム。
［第１３の局面］
前記動作は、前記波成分の中心速度、速度範囲、中心時間、及び時間範囲を特定するために速度解析を実行することを更に備える、
第９の局面に記載のシステム。
［第１４の局面］
前記スラントウィンドウは、前記波成分の前記中心速度及び前記中心時間に基づき特定された点を中心としており、
前記スラントウィンドウは、前記波成分の前記速度範囲及び前記時間範囲に基づき特定されるサイズを有する、
第１３の局面に記載のシステム。
［第１５の局面］
非一時的なコンピュータ読取可能媒体であって、コンピュータシステムによって実行可能な１又は複数の命令を所定の動作を実行するために格納し、前記動作は：
全波形音波（ＦＷＳ）データを受信する処理と；
前記受信したＦＷＳデータにアンチエイリアシング線形ラドン変換を実行する処理と；
スラントウィンドウを用いて、波成分に対応するラドン変換済みＦＷＳデータを抽出する処理と；
前記抽出されたラドン変換済みＦＷＳデータに逆ラドン変換を実行することによって、前記波成分の信号を特定する処理と；を備える、
非一時的なコンピュータ読取可能媒体。
［第１６の局面］
前記波成分は、圧縮波、せん断波、又はストンリー波のうちの１つである、
第１５の局面に記載の非一時的なコンピュータ読取可能媒体。
［第１７の局面］
前記アンチエイリアシング線形ラドン変換を実行することは：
アンチエイリアシングオフセット間隔に基づき、一組のアンチエイリアシングオフセット値及び一組のｓｌｏｗｎｅｓｓ値を特定する処理と；
前記受信したＦＷＳデータ及び前記一組のアンチエイリアシングオフセット値に基づき、補間されたＦＷＳデータを生成する処理と；
前記一組のアンチエイリアシングオフセット値及び前記ｓｌｏｗｎｅｓｓ値に基づき、前記補間されたＦＷＳデータにラドン変換を実行する処理と；を備える、
第１５の局面に記載の非一時的なコンピュータ読取可能媒体。
［第１８の局面］
前記アンチエイリアシングオフセット間隔は△ｘａ＝０．５＊△ｔ＊Ｖｍｉｎであり、ここで、△ｔは前記受信したＦＷＳデータのサンプリング時間間隔であり、Ｖｍｉｎは、前記波成分の速度の下限である、
第１７の局面に記載の非一時的なコンピュータ読取可能媒体。
［第１９の局面］
前記動作は、前記波成分の中心速度、速度範囲、中心時間、及び時間範囲を特定するために、速度解析を実行する処理をさらに備える、
第１５の局面に記載の非一時的なコンピュータ読取可能媒体。
［第２０の局面］
前記スラントウィンドウは、前記波成分の前記中心速度及び前記中心時間に基づき特定された点を中心としており、
前記スラントウィンドウは、前記波成分の前記速度範囲及び前記時間範囲に基づき特定されたサイズを有する、
第１９の局面に記載の非一時的なコンピュータ読取可能媒体。
【符号の説明】
【００６２】
６００  コンピュータシステム
６０２  コンピュータ
６０５  プロセッサ
６０７  メモリ
【図１】
0006943979.tif 000009
【図２】
0006943979.tif 000010
【図３】
0006943979.tif 000011
【図４】
0006943979.tif 000012
【図５】
0006943979.tif 000013
【図６】
0006943979.tif 000014